(57)【特許請求の範囲】
【請求項１】
電源側端子及び負荷側端子間を接続する主回路導電部が貫装された変流器（ＣＴ）を器体内部に配設するとともに、該ＣＴの出力信号を器体外部に引き出すＣＴ出力信号引き出し線が器体の負荷側端子側から器体外部に引き出されるよう設けられた回路遮断器において、
複数の前記回路遮断器の器体並設時に、
前記ＣＴ出力信号引き出し線が器体並設方向に突出しないようＣＴ出力信号引き出し線を収納するＣＴ出力信号引き出し線収納部を、分電盤の中底に前記回路遮断器を取付け固定するためのロックレバーに、一部が開口するＣＴ出力信号引き出し線を通す通し部を設けることにより備えたことを特徴とする回路遮断器のＣＴ出力信号引き出し線の収納構造。
【請求項２】
電源側端子及び負荷側端子間を接続する主回路導電部が貫装された変流器（ＣＴ）を器体内部に配設するとともに、該ＣＴの出力信号を器体外部に引き出すＣＴ出力信号引き出し線が器体の負荷側端子側から器体外部に引き出されるよう設けられた回路遮断器において、
複数の前記回路遮断器の器体並設時に、
前記ＣＴ出力信号引き出し線が器体並設方向に突出しないようＣＴ出力信号引き出し線を収納するＣＴ出力信号引き出し線収納部を、分電盤の中底に前記回路遮断器を取付け固定するためのロックレバーと一体に形成されて、前記器体の前面側に前記ロックレバーから延出される延出部を備えて構成される安全装置に、ＣＴ出力信号引き出し線を通す通し部を前記前面側から底面側にかけて設けることにより備えたことを特徴とする回路遮断器のＣＴ出力信号引き出し線の収納構造。
【発明の詳細な説明】
【技術分野】
【０００１】
本発明は、分電盤に組み込まれる回路遮断器の変流器（ＣＴ）からの出力信号を外部に伝達するＣＴ出力信号引き出し線の収納構造に関し、特に、分電盤に配設される分岐回路遮断器のＣＴ出力信号引き出し線の収納構造に関する。
【背景技術】
【０００２】
特許文献１においては、分岐ブレーカに接続されている家電機器等で消費される電力や、補助電源からの発電電力などを計測し、家全体の電気エネルギの使用状況を確実に把握することが出来る計測機能付分電盤が開示されている。
【０００３】
本計測機能付分電盤においては、主幹ブレーカの負荷側回路を流れる電流を検出する主幹変流器と、分岐ブレーカの負荷側回路を流れる電流を検出する分岐変流器と、補助ブレーカの負荷側回路を流れる電流を検出する補助変流器と、これら主幹変流器、分岐変流器および補助変流器で検出される各電流、並びに主幹回路の電圧に基づき，主幹回路を介して売買される双方向電力、各分岐回路で消費される各消費電力および補助電源供給回路を介して供給される補助電源の発電電力を計測する計測手段とを備えて分電盤を構成しているものである。
【０００４】
特に、本分電盤においては、個々の分岐ブレーカに分岐変流器が内蔵されていることにより、分岐回路を流れる電流を分岐変流器で検出することができ、計測手段は、各分岐回路の消費電力を計測することができる。これら分岐変流器と計測手段との配線は、特許文献１における図３の分電盤内部の結線図に示されたように、分岐変流器７５の検出信号線であるリード線７７と各ハーネス線７９とをハーネス７８を用いてそれぞれ接続することにより行い、配線が整然と簡易に行えるものである。通常このようなリード線７７と各ハーネス線７９とをハーネス７８を用いた接続は、分岐ブレーカを載置する取付け板の背面側にて分電盤を構成するケースと該取付け板との間の空間を用いて行われる。
【先行技術文献】
【特許文献】
【０００５】
【特許文献１】特開２００１−１０３６２１号公報
【発明の概要】
【発明が解決しようとする課題】
【０００６】
さて、個々の分岐ブレーカに分岐変流器が内蔵された分電盤は、分岐回路を流れる電流を分岐変流器で検出することができ、なおかつ、前記分岐変流器７５の検出信号線であるリード線７７と各ハーネス線７９とをハーネス７８を用いて配線が整然と簡易に行える一方、分岐ブレーカを多数並設して設けた場合には、分岐ブレーカの負荷側端子に接続する負荷側電線も多数並設されるため、該分岐ブレーカの並設方向のみならず、分岐ブレーカのハンドルが設けられた面に臨んで手前側から奥側の方向においても、前述したリード線やハーネス等が負荷側電線と当接したり、配線施工時に干渉して配線作業がしづらくなるおそれがあった。
【０００７】
また、一度配線を完了した分電盤において、分岐ブレーカを取替える必要が生じた場合には、多数並設している負荷側電線並びにリード線やハーネスを選り分けて、取替え対象となる分岐ブレーカの負荷側電線とリード線を選別したうえで、該当する分岐ブレーカを分電盤から取外す必要がある。また、新たな分岐ブレーカを分電盤に取付けた後、取外した負荷側電線及びリード線やハーネスを元通りに接続する必要があるが、このときに、他の配線に不用意に接触したり力が加わり応力がかかることにより、配線接続に不具合が生じるおそれがあった。
【０００８】
本発明は、上記課題に鑑みてなされたもので、分岐ブレーカから引き出される、内蔵変流器（ＣＴ）のＣＴ出力信号引き出し線が、負荷側接続電線や他の回路の電線に混触することを規制するとともに、分電盤の施工時など配線の接続／離反を行う際に作業の妨げになりにくく、配線作業性を向上することができる回路遮断器のＣＴ出力信号引き出し線収納構造を提供することを目的とする。
【課題を解決するための手段】
【０００９】
本発明に係る回路遮断器のＣＴ出力信号引き出し線の収納構造は、上述の課題を解決すべく構成されたもので、電源側端子及び負荷側端子間を接続する主回路導電部が貫装された変流器（ＣＴ）を器体内部に配設するとともに、該ＣＴの出力信号を器体外部に引き出すＣＴ出力信号引き出し線が器体の負荷側端子側から器体外部に引き出されるよう設けられた回路遮断器において、複数の前記回路遮断器の器体並設時に、前記ＣＴ出力信号引き出し線が器体並設方向に突出しないようＣＴ出力信号引き出し線を収納するＣＴ出力信号引き出し線収納部を、分電盤の中底に前記回路遮断器を取付け固定するためのロックレバーに、一部が開口するＣＴ出力信号引き出し線を通す通し部を設けることにより備えたことを特徴として回路遮断器のＣＴ出力信号引き出し線の収納構造を構成するとよい。
【００１０】
かかる構成によれば、回路遮断器の器体並設時において、ＣＴ出力信号引き出し線が器体並設方向に突出せず、また、他の回路遮断器における前記負荷側電線及び他の回路遮断器における前記ＣＴ出力信号引き出し線に混触することがないから、分電盤の施工時など配線の接続／離反を行う際に作業の妨げになりにくく、配線作業性を向上することができる回路遮断器のＣＴ出力信号引き出し線の収納構造を提供することができる。
【００１１】
削除
【００１２】
また、前記凹部にＣＴ出力信号引き出し線を嵌め込むことにより該ＣＴ出力信号引き出し線を収納することができ、回路遮断器の器体並設時において、ＣＴ出力信号引き出し線が器体並設方向に突出しないよう規制できる。
【００１３】
削除
【００１４】
また、前記ロックレバーの通し部に、ＣＴ出力信号引き出し線を通すことにより、回路遮断器の器体並設時において、ＣＴ出力信号引き出し線が器体並設方向に膨らんで配置されたり浮遊しないよう規制できる。
【００１５】
また、前記ＣＴ出力信号引き出し線の収納部は、
分電盤の中底に前記回路遮断器を取付け固定するためのロックレバーと一体に形成されて、前記器体の前面側に前記ロックレバーから延出される延出部を備えて構成される安全装置に、ＣＴ出力信号引き出し線を通す通し部を前記前面側から底面側にかけて設けることを特徴として回路遮断器のＣＴ出力信号引き出し線の収納構造を構成するとよい。
【００１６】
かかる構成によれば、前記安全装置にＣＴ出力信号引き出し線を通すことにより、該ＣＴ出力信号引き出し線の器体の外部への露出量が減り、回路遮断器の器体並設時において、ＣＴ出力信号引き出し線が器体並設方向に膨らんで配置されたり浮遊しないよう規制できるとともに、見栄えもよい回路遮断器のＣＴ出力信号引き出し線の収納構造を提供することができる。
【発明の効果】
【００１７】
以上の如く、本発明によれば、分岐ブレーカから引き出される、内蔵変流器（ＣＴ）のＣＴ出力信号引き出し線が、負荷側接続電線や他の回路の電線に混触することを規制するとともに、分電盤の施工時など配線の接続／離反を行う際に作業の妨げになりにくく、配線作業性を向上することができる回路遮断器のＣＴ出力信号引き出し線収納構造を提供することができる。
【図面の簡単な説明】
【００１８】
【図１】本発明の第一の実施形態を示す回路遮断器の外観構成図を示す。
【図２】第一の実施形態の要部拡大図を示す。
【図３】回路遮断器の取付け板の外観構成図を示す。
【図４】回路遮断器の底面側の拡大図を示す。
【図５】本発明の第二の実施形態を示す回路遮断器の外観構成図を示す。
【図６】第二の実施形態の要部拡大図を示す。
【図７】本発明の第三の実施形態を示す回路遮断器の外観構成図を示す。
【図８】第三の実施形態の要部拡大図を示す。
【図９】第三の実施形態における回路遮断器を取付け板に載置した状態の図を示す。
【発明を実施するための形態】
【００１９】
次に本発明の実施形態を図面を用いて詳細に説明する。
【００２０】
（第１の実施形態）
図１は、本発明におけるＣＴ出力信号引き出し線の収納部を備えた回路遮断器１の外観斜視図である。図２は、該回路遮断器１のＣＴ出力信号引き出し線の収納部の要部拡大図である。回路遮断器１は、器体が長手方向に分割構成される筐体１０１、１０２により形成される。該器体の長手方向のそれぞれの端部には、電源と接続される電源側端子並びに負荷側回路に電源を供給する負荷側端子が設けられる。
【００２１】
前記器体の内部には、電源側端子並びに負荷側端子と接続される主回路導電部、該主回路導電部に介在し主回路導電部に設けられた接点を接触／離反させる接点開閉機構、主回路導電部に異常電流が流れたときには前記接点開閉機構に作用して回路を切動作させる自動遮断機構、前記主回路導体部が貫装される変流器（ＣＴ）等が設けられる。該ＣＴには、ＣＴに貫装される主回路導体部に流れる電流の大きさに応じて誘導電流が発生するが、この誘導電流をＣＴの出力信号として外部に伝達するために、ＣＴの出力端に接続されたＣＴ出力信号引き出し線１１０が接続される。該ＣＴ出力信号引き出し線１１０は、器体の外部に延出されている。また、該ＣＴ出力信号引き出し線１１０の端部には、外部電線と接続するためのコネクタ１１１が設けられている。また、前記接点開閉機構を筐体の外部から入切操作する操作ハンドル１０３が筐体の前面側に設けられている。
【００２２】
１０５、１０６は前記負荷側端子に負荷側回路に至る負荷側電線を挿入接続するための電線挿入孔である。電源側端子はプラグインタイプの端子を用い、負荷側端子は鎖錠接続端子を用いて構成している。
【００２３】
なお、前記回路遮断器の器体を並設する方向を側面側とし、前記回路遮断器の器体のうち、回路遮断器を操作する操作ハンドル１０３が設けられた側を前面側、回路遮断器を取付け固定する取付け板に取り付けられる側を底面側とする。また、回路遮断器１の電源側端子側を正面側、負荷側端子側を背面側とする。
【００２４】
図３には、回路遮断器１を取り付け固定する取付板２を示している。取付板２は、分電盤の中底として用いられるもので、回路遮断器１等の内部機器や該内部機器に電力を供給する母線２０１、２０２、２０３が取り付けられるものである。
【００２５】
前記取付板２には、回路遮断器１を取り付けたときに回路遮断器と作用し合い、分岐回路遮断器の前面側−底面側の方向の動きを規制する第一の規制部２０４、２０５と、正面側−背面側の方向の動きを規制する第二の規制部２０６とが設けられている。
【００２６】
第一の規制部２０４は、取付板２の一部を切り起こして形成したものであり、端部が係合片となっている。回路遮断器１側には、図４に示したように回路遮断器１の底面側に前記第一の規制部が嵌り込む凹部１０７と、凹部の底面側に設けられて前記係合片と作用し合う係合片１０８が設けられている。回路遮断器１の取付板２への取り付け時に、夫々の係合片が係合することにより、回路遮断器の底面側において前面側−底面側の方向の動きが規制される。
【００２７】
また、第一の規制部２０５は、取付板に突出形成したものであり、該第一の規制部２０５と、回路遮断器１の正面側に形成された前記第一の規制部２０５が嵌り込むための凹部（図示しない）とが嵌合することにより回路遮断器の正面側において前面側−背面側の方向の動きが規制される。これら規制部２０４、２０５により、回路遮断器の正面側と背面側の両方において前面側−底面側の方向の動きを規制するため、より強固に取付板に固定することができる。
【００２８】
第二の規制部２０６は、取付板２の一部を凹状に曲げ加工して凹部を形成したものである。回路遮断器１の背面側には、回路遮断器１の底面から突出する、しないを外部つまみ１０４２により択一的に選択するロックレバー１０４１が設けられており、回路遮断器１の底面から突出したロックレバー１０４２が前記第二の規制部２０６の凹部に嵌り込み、互いに嵌合することにより、回路遮断器の正面側−背面側の方向の動きが規制される。
【００２９】
取付板２に回路遮断器１を取り付けるときには、回路遮断器１を取付板２の上で母線の方向にスライドさせていくことにより、母線が電源側端子に差し込まれていくと同時に、前記第一の規制部２０４、２０５が回路遮断器１の係合片１０８、（図示しない）前記凹部と係合することにより、取付板２上の適正な位置に回路遮断器１が載置される。そして、前記ロックレバー１０４１の外部つまみ１０４２を取付板２の方向に押下げることにより、回路遮断器１の底面からロックレバー１０４１が突出して取付板２の第二の規制部２０６である凹部と嵌合し、取り付けが完了する。
【００３０】
また、取付板２から回路遮断器１を取り外すときには、前記ロックレバー１０４１の外部つまみ１０４２を取付板と反対の方向（回路遮断器１の前面側）に引き上げて、ロックレバー１０４２を底面から突出しない状態にし、回路遮断器１を背面側に引き抜くように移動させることにより、前記第一の規制部１０４、２０５と回路遮断器との係合が外れると同時に母線と電源側端子との接続が解かれ、取り外しが完了する。
【００３１】
図２に示したように、回路遮断器１の器体１０１には、前記側面側において、ＣＴ出力信号引き出し線１１０を嵌め込む凹部１０２１を器体の前面側から底面側にかけて形成している。前記凹部１０２１の大きさは、ＣＴ出力信号引き出し線１１０が嵌まり込む程度の、正面−背面方向における幅と、側面方向における深さとに形成されている。また、凹部１０２１には、嵌め込んだＣＴ出力信号引き出し線１１０が浮き上がりにくいように、側面側において所々に突部１０２１ａが形成されている。これら突部１０２１ａにＣＴ出力信号引き出し線１１０が引っかかり、並設方向に膨らんで配置されたり突出することを規制できる。
【００３２】
（第２の実施形態）
図５は、本発明におけるＣＴ出力信号引き出し線の収納部を備えた回路遮断器１の外観斜視図を示している。図６は、該回路遮断器１のＣＴ出力信号引き出し線の収納部の要部拡大図である。第２の実施形態においては、前記器体側面に設けられた凹部に代えて、ロックレバー１０４１の外部つまみ１０４２の部分にＣＴ出力信号引き出し線の収納部を設けた形態である。
【００３３】
本実施形態においては、器体側面における前記凹部は形成されておらず、前記ロックレバー１０４１の外部つまみ１０４２に回路遮断器の前記背面側の一部が開口するＣＴ出力信号引き出し線１１０を通す通し部１０４２１を形成することによりＣＴ出力信号引き出し線の収納部を構成している。前記通し部１０４２１は、前記前面側から底面側にかけて貫通した穴部を備え、ＣＴ出力信号引き出し線１１０を該穴部に通すことができるように、前記背面側の一部に開口部１０４２２を設けた形状となっている。開口部１０４２２はＣＴ出力信号引き出し線を穴部に押し入れることができる程度に、ＣＴ出力信号引き出し線の直径と略同程度か若干狭目に構成するとよい。
【００３４】
ＣＴ出力信号引き出し線１１０を通し部１０４２１に通す場合には、ＣＴ出力信号引き出し線１１０を前記開口部１０４２２から穴部の方向に押し込むようにして穴部に通す。穴部の大きさはＣＴ出力信号引き出し線１１０の直径に対して若干の余裕を持たせた大きさとしているので、ロックレバー１０４１を操作することにより前面−底面の方向に該ロックレバーが変位してもＣＴ出力信号引き出し線１１０への影響はない。
【００３５】
なお、穴部の大きさをＣＴ出力信号引き出し線１１０の直径とほぼ同等の大きさとして穴部によりＣＴ出力信号引き出し線１１０を把握するように構成する場合は、予め、ＣＴ出力信号引き出し線１１０をロックレバー１０４１の変位量に応じた分の長さの余裕を持たせた構成とするとよい。
【００３６】
また、ＣＴ出力信号引き出し線１１０を通し部に通した後でコネクタ１１０を接続するよう構成する場合は、前記開口部１０４２１を設けずに、穴部１０４２１のみ構成する形態でもよい。
【００３７】
また、負荷側電線の密集具合が高い場合や、負荷側電線に極力接触させたくない場合などには、ＣＴ出力信号引き出し線の収納部を選択的に利用しうる形態として、第一の実施形態の側面に設けた凹部によるＣＴ出力信号引き出し線の収納部と、本実施形態のロックレバー部に設けた通し部によるＣＴ出力信号引き出し線の収納部を併せて形成して回路遮断器１を構成してもよい。
【００３８】
（第３の実施形態）
図７は、本発明におけるＣＴ出力信号引き出し線の収納部を備えた回路遮断器１の外観斜視図を示している。図８は、該回路遮断器１のＣＴ出力信号引き出し線の収納部の要部拡大図である。第３の実施形態においては、第２の実施形態における通し部に代えて、ロックレバー１０４１と一体に形成されて、前記器体の前面側に前記ロックレバーから延出される延出部を備えて構成される安全装置１０４を備えた回路遮断器にＣＴ出力信号引き出し線を通す通し部を設けた形態である。
【００３９】
前記安全装置１０４は、ロックレバー１０４１と一体に筒状に形成されたものである。該安全装置１０４は、回路遮断器の底面側から前面側に向けてロックレバーから延出される延出部１０４３と、該延出部の端部に設けられた表示部１０４４とを備え、前記ロックレバーの上げ下げ操作に応じて表示部１０４４が連動し、ロックレバーの上げ下げ状態を回路遮断器の前面側から容易に判別することができるものである。
【００４０】
また、表示部１０４４の前面側端部には押圧部１０４５が形成されており、前記ロックレバーを下げる場合には、該押圧部１０４５を押圧することによっても押し下げ操作を行うことができる。
【００４１】
前記延出部１０４３には、該延出部の一部の肉が掘り込まれることにより摺動部１０４８を形成している。該摺動部１０４８は筐体側に形成された安全装置支持部１０２１並びに該支持部１０２１と対向して設けられる筐体１０１側の支持部１０１１に支持され、ロックレバーの上げ下げ操作の際にガイドの役割を果たすものである。
【００４２】
前記表示部１０４４は、ロックレバー１０４１の上げ下げ状態を回路遮断器の前記前面側から容易に視認し得るためのものである。ロックレバーが下げられている場合には、表示部１０４４は前記支持部１０２１と同様の高さになり前面側からは視認できず、ロックレバーが上がっている場合には、図７、図８のように、回路遮断器の前面側から視認できる。
【００４３】
前記安全装置１０４に設けられたＣＴ出力信号引き出し線の収納部は、前記回路遮断器の前面側から底面側にかけてＣＴ出力信号引き出し線を通す通し部１０４３１を設けて構成されている。通し部１０４３１の背面側は、一部が開口されており、この開口部１０４３２からＣＴ出力信号引き出し線を通し部１０４３１に押し込むようにして通す。前記開口部１０４３２はＣＴ出力信号引き出し線を穴部に押し入れることができる程度に、ＣＴ出力信号引き出し線の直径と略同程度か若干狭目に構成するとよい。
【００４４】
なお、前記延出部１０４３の前面側なおかつ回路遮断器の背面側においては、前記通し部１０４３１の一部にスリット状の切れ込み１０４３３を設けており、前記安全装置が持ち上げられたときにスリットの底面と回路遮断器１の前面側との高さが略一致するように設けている。これにより、回路遮断器１の背面側から引き出された前記ＣＴ出力信号引き出し線を通し部１０４３１に引き込む際のガイドの役割を果たし、通し部に引き込み易くすることができることに加え、安全装置が持ち上げられたときにＣＴ出力信号引き出し線が引っ張られて不要な応力がＣＴ出力信号引き出し線に印加されることを防止できる。
【００４５】
これにより、ＣＴ出力信号引き出し線は、安全装置内部に収納されるから、器体の外部へのＣＴ出力信号引き出し線の露出量が減り、回路遮断器１の器体並設時において、ＣＴ出力信号引き出し線が器体並設方向に浮遊したり膨らんだ配置にならないように規制できるとともに、さらに見栄えもよいＣＴ出力信号引き出し線の収納構造を提供することができる。
【００４６】
また、第二の実施形態と同様に、負荷側電線の密集具合が高い場合や、負荷側電線に極力接触させたくない場合などには、ＣＴ出力信号引き出し線の収納部を選択的に利用しうる形態として、第一の実施形態の側面に設けた凹部によるＣＴ出力信号引き出し線の収納部と、本実施形態のロックレバー部に設けた通し部によるＣＴ出力信号引き出し線の収納部を併せて形成して回路遮断器１を構成してもよい。
【００４７】
図９には、取付け板に第三の実施形態における回路遮断器１を並設して載置した図を示している。ＣＴ出力信号引き出し線１１０は、回路遮断器１の背面側の中央部に設けられた、ＣＴ出力信号引き出し線の収納部である前記安全装置１０４の通し部１０４３１に通されて、回路遮断器の側面側に膨らんだり、突出することなく、整然と取付け板２の背面に導かれる。このため、負荷側電線（図示しない）の配線の妨げにならず、また、負荷側電線と混触することなくＣＴ出力信号引き出し線を配線することができ、配線作業性を向上することができる。
【００４８】
また、安全装置１０４における延出部１０４３は、互いの電線挿入孔に差し込まれる負荷側電線同士を接触しにくくするための絶縁壁としての作用も持ち合わせたものであり、ＣＴ出力信号引き出し線と負荷側電線との混触を防止する効果を奏する。
【００４９】
尚、本発明は、上記実施形態に限定されるものではなく、本発明の要旨を逸脱しない範囲で種々の変更が可能である。
【００５０】
例えば、回路遮断器１の背面側から引き出されるＣＴ出力信号引き出し線の配設位置に合わせて、器体１０１と１０２の前面側の外郭を掘り込むことにより前記安全装置に設けられた通し部まで凹部を形成し、回路遮断器の前面側においてもＣＴ出力信号引き出し線の収納部を設けて、前記回路遮断器の前面側におけるＣＴ出力信号引き出し線の露出を減らすよう構成してもよい。
【００５１】
また、回路遮断器の器体における前面側並びに背面側の中央部にＣＴ出力信号引き出し線を引っ掛けるフックを設けて、該フックにＣＴ出力信号引き出し線を引っ掛けることにより、側面側への膨れや突出を規制するように構成してもよい。これらの変更によっても、実施形態と同様の効果が得られる。
【符号の説明】
【００５２】
１  回路遮断器
１０１  筐体
１０２  筐体
１０２１  凹部
１０２１ａ  突部
１０１２  支持部
１０２２  支持部
１０３  操作ハンドル
１０４  安全装置
１０４１  ロックレバー
１０４２  外部つまみ
１０４２１  通し部
１０４２２  開口部
１０４３  延出部
１０４３１  通し部
１０４３２  開口部
１０４４  表示部
１０４５  押圧部
１０４８  摺動部
１０５  電線挿入孔
１０６  電線挿入孔
１０７  凹部
１０８  係合部
２  取付板
２０１  母線
２０２  母線
２０３  母線
２０４  第一の規制部
２０５  第一の規制部
２０６  第二の規制部
【図１】
0005610213.tif 000002
【図２】
0005610213.tif 000003
【図３】
0005610213.tif 000004
【図４】
0005610213.tif 000005
【図５】
0005610213.tif 000006
【図６】
0005610213.tif 000007
【図７】
0005610213.tif 000008
【図８】
0005610213.tif 000009
【図９】
0005610213.tif 000010